(57)【要約】【課題】整合式光学マウスのレンズ構造を提供する。【解決手段】主に殻体１及び殻体内に固定設置する回路板３により構成され、該殻体の下蓋へレンズモジュール２を設け、該レンズモジュールは受信部２２を具有する底座２１に係り、受信部の上に第一レンズ２３、第二レンズ２４を設け、及び第二レンズの近くへ反射部２５を設け、且つ該反射部の頂上面は第一レンズの底部に連接し、該回路板の上にチップモジュール４を設け、該チップモジュールの上に第一レンズと相互対応する光源部４１、及び第二レンズと相互対応するセンサ４２を具有し、このように光学マウスの光源部及びセンサはチップモジュール内に具有され、該レンズモジュールは光源シグナルを伝送するルートを短縮し、光源部から発射され、及び屈折した光源は更に集中されるので、光が散逸することなく、更に優れた使用効能を具有するものとなる。【選択図】  図１
0003101622.tif 000002
【実用新案登録請求の範囲】
【請求項１】
殻体は上蓋及び下蓋とにより構成し、且つ該殻体の下蓋へ穿孔が開設され、該下蓋へ開設する穿孔へレンズモジュールを組合せ、
上述の殻体内に回路板を固定設置し、該回路板へ上述の穿孔に対応する孔を開設し、該回路板へ開設する孔へチップモジュールを組合せ、
該レンズモジュールは底座を含み、該底座は受信部を具有し、且つ該受信部は第一レンズ及び第二レンズを具有し、
該第二レンズの近くへ反射部を設け、該反射部の頂上面は該第一レンズの底部に係り、
該チップモジュールは光源部を具有し、且つ光源部の近くへセンサを設け、又該光源部は上述の第一レンズと相互対応し、該センサは上述の第二レンズと相互対応することを特徴とする整合式光学マウスのレンズ構造。
【考案の詳細な説明】
【技術分野】
【０００１】
本考案は光学マウスのレンズ構造に係り、特に光学マウスの光源部及びセンサをチップモジュール内に具有し、該レンズモジュールと配合すると光源シグナルの伝送ルートを短縮することにより、光源部から発射され、及び屈折した光源は更に集中し、散逸することがなく、更に優れた使用効能を具有することに関わる。
【背景技術】
【０００２】
公知における光学マウスは主に、光学の技術は従来のマウスに設けるボールに取って代わるものであり、図５、６に示す公知の光学マウスは、主に上外殻（図には未表示）、下底板６、レンズセット６０、及び回路板６１により構成し、該回路板６１の予め決められた位置へ発光ダイオード６２（LED）及びセンサ６３を設け、該発光ダイオード６２（LED）及びセンサ６３の底面、即ち下底板６の上へレンズセット６０を設け、使用する時に該発光ダイオード６２が発光する光線シグナルは該レンズセット６０の第一レンズ６０１、反射鏡６０３を経由して屈折してデスク７へ至る、更にデスク７により屈折してレンズセット６０の第二レンズ６０２へ至り、センサ６３に収容される。
【特許文献１】特開平５−１８１５９８号公報
【考案の開示】
【考案が解決しようとする課題】
【０００３】
しかしながら上述の光学マウスの構造は回路板６１へそれぞれ発光ダイオード６２、センサ６３を設け、発光ダイオード６２、センサ６３及び下底板６の位置へ該レンズセット６０を設けるため、それぞれの資料、設置を必要とし、手間がかかり、且つコストも高くなる以外に、各部品の配置位置も非常に重要なことであり、屈折、反射する光の経路及び効果は正確であるか、など設計において困難な点である。
更に、該光学マウス上の発光ダイオード６２（LED）及びセンサ６３を配合し、また構造が複雑なレンズセット６０を設け、該発光ダイオード６２から発光される光は第一レンズ６０１、反射鏡６０３により屈折してデスク７へ至り、更にデスク７により反射してレンズセット６０の第二レンズ６０２へ至りセンサ６３へ収容され、発光ダイオード６２の光源は屈折してセンサ６３へ至る時、発光ダイオード６２の光源が屈折してセンサ６３へ至る経路は長く、発光ダイオード６２が発射及び屈折する光源は集中しにくく、散逸現象をまねくものである。更に各部品は複雑であり、生産コストも高く、よって公知の光学マウスは使用者の需要に応じるものではないといえる。
そこで、上述の欠点に鑑み、光源部から発射され、及び屈折した光源は更に集中し、散逸することがなく、更に優れた使用効能を高めるべく本考案の光学マウスのレンズ構造を提供する。
【課題を解決するための手段】
【０００４】
本考案の主な目的としては、該レンズモジュールの光源シグナルの伝送するルートを短縮し、光源部から発射し、及び屈折した光源は更に集中し、光が散逸する現象を避け、光学マウスは更に優れた使用効能を具有することができるものである。
すなわち、本考案の整合式光学マウスのレンズ構造は、
殻体は上蓋及び下蓋とにより構成し、且つ該殻体の下蓋へ穿孔が開設され、該下蓋へ開設する穿孔へレンズモジュールを組合せ、
上述の殻体内に回路板を固定設置し、該回路板へ上述の穿孔に対応する孔を開設し、該回路板へ開設する孔へチップモジュールを組合せ、
該レンズモジュールは底座を含み、該底座は受信部を具有し、且つ該受信部は第一レンズ及び第二レンズを具有し、
該第二レンズの近くへ反射部を設け、該反射部の頂上面は該第一レンズの底部に係り、
該チップモジュールは光源部を具有し、且つ光源部の近くへセンサを設け、又該光源部は上述の第一レンズと相互対応し、該センサは上述の第二レンズと相互対応することを特徴とする。
【考案の効果】
【０００５】
本考案によると、光学マウスの光源部及びセンサをチップモジュール内へ設け、該レンズモジュールの光源シグナルの伝送するルートを短縮し、光源部から発射し、及び屈折した光源は更に集中し、光が散逸する現象を避け、光学マウスは更に優れた使用効能を具有することができる目的が達成された。
【考案を実施するための最良の形態】
【０００６】
図１、２、３に示すように、光学マウスのレンズ構造に係り、外殻１にレンズモジュール４を設け、及び外殻１にチップモジュール４を設け、且つ外殻１内に回路板３を固定設置し、光学マウスの光源部及びセンサはチップモジュール内へ設け、該レンズモジュールと配合すると、光源シグナルを伝送するルーとを短縮し、光源部からの発射、及び屈折した光源は更に集中し、光が散逸する現象はおこらず、光学マウスは更に優れた使用効能を具有する。
【実施例１】
【０００７】
図１、２、３に示すように、殻体１に設けるレンズモジュール、及び殻体１に設けるチップモジュール４、且つ殻体１内に固定設置する回路板３により構成し、殻体１は上蓋11及び下蓋１２の組合せから成り、且つ該殻体１の下蓋１２の上に穿孔１２１を開設し、該下蓋１２の穿孔１２１はレンズモジュール２と組合せ、該レンズモジュール２は底座２１を具有し、該底座２１の上に受信部２２を具有し、且つ該受信部２２の上に第一レンズ２３及び第二レンズ２４を具有し、該第一レンズ２３及び第二レンズ２４は同一の平面上に設けられ、第二レンズの近くに反射部２５を設け、該反射部２５の頂上面は該第一レンズ２３の底部と連接し、
該回路板３の上に上述の穿孔１２１に対応する孔３１を開設し、該回路板３に設ける孔３１はチップモジュール４と組合せ、該チップモジュール４の上には光源部４１を具有し、光源部４１の近くへセンサ４２を設け、又該光源部４１は上述の第一レンズ２３と相互対応し、該センサ４２は上述の第二レンズ２４と相互対応する。
上述の構造により全く新しい整合式光学マウスのレンズ構造となる。
図4に示すように、使用する時、光源部４１はシグナルを該光源部４１に相互対応する第一レンズ２３へ発射され、該第一レンズ２３を通り過ぎた該光源シグナルは下へ向かい反射部２５へ導かれ反射し、第一レンズ２３より下へ導かれた光源シグナルは反射面５（デスク又はマウスパッド）で屈折し、この時、該光源シグナルは反射面５（デスク又はマウスパッド）により上へ向かい、該光源シグナルは第二レンズ２４の下方面へ導かれ、その後、上へ向かう、そして該光源シグナルは該第二レンズ２４と相互対応するセンサ４２へ光源シグナルを収容し、チップモジュール４は光学マウスの軌跡の運算をし、このように、光学マウスの光源部４１及びセンサ４２はチップモジュール内に設けられ、該レンズモジュール２と同一面上にある第一レンズ２３及び第二レンズ２４は光源シグナルの伝送ルートを短縮し、光源部４１から発射及び屈折した光源は更に集中し、散逸の現象をおこさず、光学マウスは更に優れた使用効能となる。
【産業上の利用可能性】
【０００８】
光源をより集中させることによって実用性があり、使用し易い。
【図面の簡単な説明】
【０００９】
【図１】本考案における立体分解図である。
【図２】本考案における別の角度からみる立体分解図である。
【図３】本考案における断面図である。
【図４】本考案における反射ルートの説明図である。
【図５】公知構造のマウスにおける立体分解図である。
【図６】公知の反射ルートの指示図である。
【符号の説明】
【００１０】
１      殻体
１１    上蓋
１２    下蓋
１２１  穿孔
２      レンズモジュール
２１    底座
２２    受信部
２３    第一レンズ
２４    第二レンズ
２５    反射部
３      回路板
３１    孔
４      チップモジュール
４１    光源部
４２    センサ
５      反射面
６      底板
６０    レンズセット
６０１  第一レンズ
６０２  第二レンズ
６０３  反射鏡
６１    回路板
６２    発光ダイオード
６３    センサ
７      デスク
【図１】
0003101622.tif 000003
【図２】
0003101622.tif 000004
【図３】
0003101622.tif 000005
【図４】
0003101622.tif 000006
【図５】
0003101622.tif 000007
【図６】
0003101622.tif 000008